(57)【特許請求の範囲】
【請求項１】
プリント基板を覆う金属製のシールドケースを備えたアンテナユニットであって、
前記シールドケースは、
側壁部に形成されたケーブル導入穴と、
前記側壁部よりケース内側に後退した位置に前記ケース本体の打ち抜き工程によって形成され、天井部から前記ケーブル導入穴に向けて垂直方向に起立して延び、前記天井部と平行に前記導入穴に導入されたケーブルに半田付けされる舌片とを備えることを特徴とするアンテナユニット。
【請求項２】
ケーブルが同軸ケーブルであり、舌片が前記同軸ケーブルの外形に沿う円弧状の切り欠きを有し、前記舌片が前記同軸ケーブルの地導体に半田付けされるものであることを特徴とする請求項１に記載のアンテナユニット。
【発明の詳細な説明】
【０００１】
【発明の属する技術分野】
本発明は、例えばＧＰＳ（Ｇｌｏｂａｌ Ｐｏｓｉｔｉｏｎｉｎｇ Ｓｙｓｔｅｍ）アンテナユニットに関し、特に外部から導入されるケーブルに対しアース接続用の半田付けをする舌片を有したシールドケースを有するアンテナユニットに関する。
【０００２】
【従来の技術】
同軸ケーブルで搬送される高周波信号を処理する高周波回路の構成部品を搭載したプリント基板を、金属製のケースで覆うシールド構造は、例えば測位システムとして普及しているＧＰＳ（Ｇｌｏｂａｌ Ｐｏｓｉｔｉｏｎｉｎｇ Ｓｙｓｔｅｍ）アンテナユニットに使用される。
【０００３】
ＧＰＳシステムは、衛星からの電波を受信するＧＰＳアンテナと、このアンテナで受信された高周波信号に対し、雑音除去、増幅、周波数変換等の処理を行う高周波回路と、この高周波回路で周波数変換された信号を処理する信号処理回路（ＣＰＵ）とを備え、ＧＰＳアンテナと高周波回路との間が損失の少ない同軸ケーブルで接続される。
【０００４】
高周波回路は、周囲の電子機器等への影響を阻止するためにシールド構造とする。具体的には、高周波回路を構成する部品を搭載したプリント基板の周囲を金属製のシールドケースで覆い、このケースを同軸ケーブルの地導体に接続する。シールドケースと同軸ケーブルの地導体とのアース接続は、半田付けによることが多い。
【０００５】
図３（Ａ）（Ｂ）は、従来のアンテナユニットのシールドケースの一部を示す平面図である。同図（Ａ）はシールドケース１０を単体で示す平面図で、１１はケース本体、１２はケース本体１１の端部を切り欠いて形成した半田付け用の舌片である。同図（Ｂ）は同軸ケーブル２０の地導体２１を舌片１２の下部に導入した状態を示す。
【０００６】
図４（Ａ）（Ｂ）は、図３のシールドケース１０の一部断面とした側面図である。同図（Ａ）に示すように、同軸ケーブル２０は地導体２１の内側に絶縁被覆２２があり、その内側に中心導体２３がある。中心導体２３はプリント基板３０の導体パターンに半田付けされる。４１はこの半田付け部である。地導体２１はケース本体１１の舌片１２に半田付けされる。４２はこの半田付け部である。
【０００７】
【発明が解決しようとする課題】
図３および図４に示した従来のアンテナユニットのシールドケース１０は、図３に示す打ち抜き工程後の状態ではケース本体１１と同一平面にある舌片１２を、図４のように地導体２１側に下り曲げてから、地導体２１との半田付を行う。従って、シールドケースの組立工程に、舌片１２の折り曲げ作業が必要となり、組立工数が多い問題ある。この点が本発明で解決しようとする課題である。
【０００８】
本発明の第１の目的は、シールドケース本体の打ち抜き工程だけで半田付け用の舌片が形成され、この舌片を半田付け時に折り曲げることなくシールド用の半田付けを行うことができるアンテナユニット提供することにある。
【０００９】
本発明の第２の目的は、シールド用の半田がケース外部にはみ出ないようにする構造のアンテナユニットを提供することにある。
【００１０】
【課題を解決するための手段】
本発明の目的は、プリント基板を覆う金属製のシールドケースを備えたアンテナユニットであって、前記シールドケースは、側壁部に形成されたケーブル導入穴と、前記側壁部よりケース内側に後退した位置に前記ケース本体の打ち抜き工程によって形成され、天井部から前記ケーブル導入穴に向けて垂直方向に起立して延び、前記天井部と平行に前記導入穴に導入されたケーブルに半田付けされる舌片とを備えることを特徴とするアンテナユニットで達成できる。
【００１２】
本発明の一実施形態では、ケーブルが同軸ケーブルであり、舌片が前記同軸ケーブルの外形に沿う円弧状の切り欠きを有し、前記舌片が前記同軸ケーブルの地導体に半田付けされるものである。
【００１３】
プリント基板を覆う金属製のシールドケース本体の側壁部にケーブル導入穴を設け、このケーブル導入穴に向けて、前記ケース本体の天井部から垂直方向に起立した舌片を形成しておくと、前記天井部と平行に前記導入穴に導入されたケーブルに対し前記舌片を折り曲げ作業を要せずに半田付けできる。
【００１４】
前記舌片が、ケース本体の側壁部よりケース内側に後退した位置に形成されていると、シールド用の半田がケース外部にはみ出ないようにすることができる。
【００１５】
【発明の実施の形態】
以下、図面に示した実施形態を参照して、本発明を詳細に説明する。 図１は本発明の一実施形態を示す側面図、図２は平面図である。いずれの図においても、（Ａ）はアンテナユニットのシールドケース単体を示し、（Ｂ）はケーブル導入状態を示す。
【００１６】
図１および図２において、１１はプリント基板３０を覆う金属製のシールドケース本体、１３はこのケース本体１１の側壁部１４に形成されたケーブル導入穴、１５はこのケーブル導入穴１４に向けて、ケース本体の天井部１６から垂直方向に起立して延び、天井部１６と平行に導入穴１３に導入されたケーブル２０に半田付けされる舌片である。
【００１７】
ケーブル２０は同軸ケーブルであり、舌片１５は同軸ケーブル２０の外形に沿う円弧状の切り欠き１７を有する。この舌片１５は同軸ケーブル２０の地導体２１に半田付けされる。４３は半田付け部である。
【００１８】
舌片１５は、図２に示すように、ケース本体１１の側壁部１４よりケース内側に後退した位置に形成されている。従って、地導体２１と舌片１５とを接続する半田付け部４３が、ケース本体１１から外部にはみ出さずに済む。
【００１９】
なお、同軸ケーブル２０の中心導体とプリント基板３０の導体パターンとの半田付けは、図４（Ｂ）と同様に行われるが、本発明では図面上省略されている。
【００２０】
【発明の効果】
以上述べたように本発明によれば、シールドケース本体の打ち抜き工程だけで半田付け用の舌片が形成され、この舌片を半田付け時に折り曲げることなくシールド用の半田付けを行うことができるアンテナユニットを提供できる。
【００２１】
また、本発明によれば、シールド用の半田がケース外部にはみ出ないようにする構造のアンテナユニットを提供することができる。
【図面の簡単な説明】
【図１】本発明の一実施形態を示す側面図である。
【図２】図１の平面図である。
【図３】従来のアンテナユニットのシールドケースを示す平面図である。
【図４】図３の一部断面とした側面図である。
【符号の説明】
１１    シールドケース本体
１３    ケーブル導入穴
１４    側壁部
１５    舌片
１６    天井部
１７    切り欠き部
２０    同軸ケーブル
２１    地導体
３０    プリント基板
４３    半田付け部
【図１】
0003876494.tif 000002
【図２】
0003876494.tif 000003
【図３】
0003876494.tif 000004
【図４】
0003876494.tif 000005